(57)【要約】【課題】本願発明は、土地の情報の管理において、現在及び過去の区分とその所有者等の情報とを簡便且つ迅速に検索することが可能な手段を提供する。【解決手段】本願発明に係る土地データの管理システムでは、第１記録手段３は、複数の世代の図形情報を保持するものであり、第２記録手段４は、複数の世代の属性情報を保持するものである。更新手段５は、少なくとも図形情報の更新毎に、上記各図形情報と当該図形情報に関する属性情報とを関連付けて、当該関連付けを上記属性情報と共に第２記録手段４に記録するものである。入力手段２から受け付けた指示により、検索手段５は、第２記録手段４を参照し、特定世代の特定の図形情報と、当該図形情報に関する属性情報とを関連付けた状態で、表示手段１にて表示することが可能である。【選択図】          図１
2004302513.tif 000002
【特許請求の範囲】
【請求項１】
表示手段と、入力手段と、所有区分等の土地に関する図形情報を保持する第１記録手段と、当該区分の所有者等の上記図形情報に関する属性情報を保持する第２記録手段と、更新手段と、検索手段とを備え、
第１記録手段は、複数の世代の図形情報を保持するものであり、
第２記録手段は、複数の世代の属性情報を保持するものであり、
更新手段は、少なくとも図形情報の更新毎に、上記各図形情報と当該図形情報に関する属性情報とを関連付けて、当該関連付けを上記属性情報と共に第２記録手段に記録するものであり、
入力手段から受け付けた指示により、検索手段は、第２記録手段を参照し、特定世代の特定の図形情報と、当該図形情報に関する属性情報とを関連付けた状態で、表示手段にて表示することが可能であることを特徴とする土地データの管理システム。
【請求項２】
上記第１記録手段は、少なくとも区分の出没が伴う図形情報の更新又は属性情報の更新にて１世代を確定するものとして、同世代の図形情報と他の世代の図形情報とを区別する世代識別子を、各図形情報と対応させて保持すると共に、図形情報の夫々を識別する図形識別子を保持し、
第２記録手段は、属性情報記録部と、履歴情報記録部とを保持し、
更新手段は、上記の更新毎に、履歴情報記録部へ、当該更新事項の発生した世代と、当該事項が存続した最終世代の、夫々の世代識別子の組み合わせを履歴として蓄積すると共に、蓄積された履歴の夫々を識別する履歴識別子を、履歴情報記録部へ記録し、
更に、更新手段は、夫々更新によって生じた、図形識別子と、属性情報と、履歴識別子とを、組み合わせて属性情報記録部へ記録し、
上記属性情報は、同じ組み合わせ中の図形識別子の図形情報に関するものであり、上記履歴識別子は、同じ組み合わせ中の図形識別子の図形情報の履歴又は同じ組み合わせ中の上記属性情報の履歴と対応するものであり、
入力手段から受け付けた世代識別子の指定により、表示手段は、特定世代の図形情報の夫々を表示し、
当該表示中の図形情報の中から入力手段より受け付けた特定の図形情報の指定により、検索手段は、履歴情報記録部を参照して、先に指定された世代識別子が属する履歴の各履歴識別子を特定し、更に、検索手段は、属性情報記録部を参照して、指定された図形情報の図形識別子と、上記にて特定した各履歴識別子と合致する組み合わせを特定し、表示手段は、検索手段が特定した組み合わせ中の属性情報を、表示するものであることを特徴とする請求項１記載の土地データの管理システム。
【請求項３】
上記第１記録手段は、レイヤ等のデータ保持部を備え、
上記のデータ保持部は、同世代の図形情報とその図形識別子とを保持し、
上記の世代識別子は、各データ保持部の夫々を識別するものであることを特徴とする請求項２記載の土地データの管理システム。
【請求項４】
上記の属性情報は、所有者名等の属性の内容と、当該内容と図形情報との対応とにて構成されたものであることを特徴とする請求項２又は３記載の土地データの管理システム。
【請求項５】
第２記録手段は、上記の属性情報記録部及び履歴情報記録部以外に、世代記録部を保持し、世代記録部は、上記世代識別子を保持すると共に、当該各世代識別子に対応させて、世代の夫々を識別することが可能な日付等の識別事項を保持するものであり、表示手段は、当該識別事項を表示することが可能であり、検索手段は、入力手段によって、指定された識別事項と対応する世代識別子により、第１記録手段を検索して、対応する世代の図形情報を表示手段に表示させるものであることを特徴とする請求項２乃至４の何れかに記載の土地データの管理システム。
【請求項６】
所有区分等の土地に関する図形情報を保持する作図支援プログラムと、当該区分の所有者等の上記図形情報に関する属性情報を保持するデータベースと、制御プログラムとを備え、
作図支援プログラムは、複数の世代の、図形情報を保持するものであり、
データベースは、複数の世代の、属性情報を保持し、少なくとも図形情報の更新毎に、上記各図形情報と当該図形情報に関する属性情報とを関連付けるものであり、
上記の制御プログラムは、図形情報の指定の入力を受けることにより、データベースを参照し、特定の図形情報と当該図形情報に関する属性情報との関連付けを調べ、指定された図形情報と対応する属性情報を出力することが可能であることを特徴とする土地データの管理プログラム。
【請求項７】
所有区分等の土地に関する図形情報を保持する作図支援プログラムと、当該区分の所有者等の上記図形情報に関する属性情報を保持するデータベースと、制御プログラムとを備え、
作図支援プログラムは、複数の世代の、図形情報を保持するものであり、
データベースは、複数の世代の、属性情報を保持し、少なくとも図形情報の更新毎に、上記各図形情報と当該図形情報に関する属性情報とを関連付けるものであり、
上記の制御プログラムは、図形情報の指定の入力を受けることにより、データベースを参照し、特定の図形情報と当該図形情報に関する属性情報との関連付けを調べ、指定された図形情報と対応する属性情報を出力することが可能であることを特徴とする土地データの管理プログラムの記録媒体。
【発明の詳細な説明】
【０００１】
【発明の属する技術分野】
本願発明は、土地データの管理システム及びそのプログラム並びにその記録媒体に関する。
【０００２】
【従来の技術】
土地の所有区分が示された地図を用いて区分を調べた際、当該地図上に描かれた区分について、その所有者の情報を迅速に知りたいと望む場合が往々にしてある。例えば、公図で調べた区分と登記簿謄本に記載の事項との対応を迅速に把握したい場合がある。しかし、地図と別途の台帳をつき合わせて、いちいち参照するのは面倒である。勿論、利便性を考慮して、描かれた区分に、所有者名が記載されたこの種の地図も見受けられる。また上記の土地の所有区分は、区分の分割や変形などによって、変遷し、地図は、その都度その更新を余儀なくされる。更に、区分自体に変更がなくとも、経時に、名義等の登記内容の変遷が生じる。
上記の区分の変更に対して、ＣＡＤ（コンピュータ支援作図システム）にて土地データを作成し、区分を電子データ化して、区分の変動に迅速に対応する工夫も考え得る（例えば、下記特許文献１）。
しかし、上記の通り、名義等の区分に付随する情報も変遷を伴うものであり、上記のような電子地図を十分に活用するためには、区分の変動のみならず、このような区分に付随する情報の変動に対しても、十分に対処する必要がある。
【０００３】
【特許文献１】
特開２００１−３４７３６号公報
【０００４】
一方において、区分の過去の所有者や、区分自体の変動の経緯を調べたい場合がある。このような場合に、簡単且つ迅速にそのような検索を行うことが可能なシステムは、現状において、見当たらない。
【０００５】
【発明が解決しようとする課題】
そこで、本願の発明者は、鋭意研究の末、土地の情報の管理において、現在及び過去の、区分とその所有者等の情報とを簡便且つ迅速に、検索することが可能な手段を提供することにより、上記の課題の解決を図った。
【０００６】
【課題を解決するための手段】
本願第１の発明に係る土地データの管理システムは、表示手段１と、入力手段２と、所有区分等の土地に関する図形情報を保持する第１記録手段３と、当該区分の所有者等の上記図形情報に関する属性情報を保持する第２記録手段４と、更新手段５と、検索手段６とを備える。第１記録手段３は、複数の世代の図形情報を保持するものであり、第２記録手段４は、複数の世代の属性情報を保持するものである。更新手段５は、少なくとも図形情報の更新毎に、上記各図形情報と当該図形情報に関する属性情報とを関連付けて、当該関連付けを上記属性情報と共に第２記録手段４に記録するものである。入力手段２から受け付けた指示により、検索手段５は、第２記録手段４を参照し、特定世代の特定の図形情報と、当該図形情報に関する属性情報とを関連付けた状態で、表示手段１にて表示することが可能である。
【０００７】
本願第２の発明に係る土地データの管理システムでは、上記本願第１の発明に係る土地データの管理システムにあって、次の構成を採る。
即ち、上記第１記録手段３は、少なくとも区分の出没が伴う図形情報の更新又は属性情報の更新にて１世代を確定するものとして、同世代の図形情報と他の世代の図形情報とを区別する世代識別子を、各図形情報と対応させて保持すると共に、図形情報の夫々を識別する図形識別子を保持する。第２記録手段４は、属性情報記録部と、履歴情報記録部とを保持する。更新手段６は、上記の更新毎に、履歴情報記録部へ、当該更新事項の発生した世代と、当該事項が存続した最終世代の、夫々の世代識別子の組み合わせを履歴として蓄積すると共に、蓄積された履歴の夫々を識別する履歴識別子を、履歴情報記録部へ記録する。更に、更新手段６は、夫々更新によって生じた、図形識別子と、属性情報と、履歴識別子とを、組み合わせて属性情報記録部へ記録する。上記属性情報は、同じ組み合わせ中の図形識別子の図形情報に関するものであり、上記履歴識別子は、同じ組み合わせ中の図形識別子の図形情報の履歴又は同じ組み合わせ中の上記属性情報の履歴と対応するものである。入力手段２から受け付けた世代識別子の指定により、表示手段１は、特定世代の図形情報の夫々を表示する。当該表示中の図形情報の中から入力手段２より受け付けた特定の図形情報の指定により、検索手段５は、履歴情報記録部を参照して、先に指定された世代識別子が属する履歴の各履歴識別子を特定し、更に、検索手段５は、属性情報記録部を参照して、指定された図形情報の図形識別子と、上記にて特定した各履歴識別子と合致する、組み合わせを特定し、表示手段１は、検索手段５が特定した組み合わせ中の属性情報を、表示するものである。
【０００８】
本願第３の発明に係る土地データの管理システムでは、上記本願第２の発明に係る土地データの管理システムにあって、上記第１記録手段は、レイヤ等のデータ保持部を備え、上記のデータ保持部は、同世代の図形情報とその図形識別子とを保持する。上記の世代識別子は、各データ保持部の夫々を識別するものである。
【０００９】
本願第４の発明に係る土地データの管理システムでは、上記本願第２又は３の発明に係る土地データの管理システムにあって、上記の属性情報は、所有者名等の属性の内容と、当該内容と図形情報との対応とにて構成されたものであることを特徴とする。
【００１０】
本願第５の発明に係る土地データの管理システムでは、上記本願第２乃至４の何れかの発明に係る土地データの管理システムにあって、第２記録手段３は、上記の属性情報記録部及び履歴情報記録部以外に、世代記録部を保持する。世代記録部は、上記世代識別子を保持すると共に、当該各世代識別子に対応させて、世代の夫々を識別することが可能な日付等の識別事項を保持するものである。表示手段１は、当該識別事項を表示することが可能である。検索手段５は、入力手段２によって指定された、識別事項と対応する世代識別子により、第１記録手段３を検索して、対応する世代の図形情報を表示手段１にて表示するものである。
【００１１】
本願第６の発明に係る土地データの管理プログラムは、所有区分等の土地に関する図形情報を保持する作図支援プログラムと、当該区分の所有者等の上記図形情報に関する属性情報を保持するデータベースと、制御プログラムとを備える。作図支援プログラムは、複数の世代の、図形情報を保持するものである。データベースは、複数の世代の、属性情報を保持し、少なくとも図形情報の更新毎に、上記各図形情報と当該図形情報に関する属性情報とを関連付けるものである。上記の制御プログラムは、図形情報の指定の入力を受けることにより、データベースを参照し、特定の図形情報と当該図形情報に関する属性情報との関連付けを調べ、指定された図形情報と対応する属性情報を出力することが可能である。
【００１２】
本願第７の発明に係る土地データの管理プログラムの記録媒体は、所有区分等の土地に関する図形情報を保持する作図支援プログラムと、当該区分の所有者等の上記図形情報に関する属性情報を保持するデータベースと、制御プログラムとを備える。作図支援プログラムは、複数の世代の、図形情報を保持する。データベースは、複数の世代の、属性情報を保持し、少なくとも図形情報の更新毎に、上記各図形情報と当該図形情報に関する属性情報とを関連付ける。上記の制御プログラムは、図形情報の指定の入力を受けることにより、データベースを参照し、特定の図形情報と当該図形情報に関する属性情報との関連付けを調べ、指定された図形情報と対応する属性情報を出力することが可能である。
【００１３】
本願の上記本願第１〜７の発明にあっては、現在及び過去の、土地の区分とその所有者等の情報とを簡便且つ迅速に、検索することが可能な手段を提供し得た。
即ち、第１記録手段３（本願の第６及び第７の発明にあっては作図支援プログラム）が保持する、過去発生した所有区分等の土地に関する図形情報から、入力手段２によって、指定された図形情報について、第２記録手段４（本願の第６及び第７の発明にあってはデータベース）を検査することにより、対応する所有者等の属性情報を抽出し、表示手段１にて表示（本願の第６及び第７の発明にあっては出力）することを可能とした。
上記本願第３の発明にあっては、同世代の図形情報及び属性情報を、同一の世代識別子にて、他の世代の図形情報及び属性情報と区別することができる。そして、データ保持部の上記の１つの世代の発生は、新たなデータ保持部の追加にて、実現することができる。即ち、各図形情報や属性情報が属する世代をデータ保持部によって管理することにより、区分の変遷によって発生し消滅する図形情報に対して、同じく変遷を伴う属性情報を、極めて簡便に関連付けることができる。
特に、上記第２〜５の発明では、次のメリットがある。例えば、単に一定期間の経過毎に、各データを蓄積して、日付で、過去の区分と対応する所有者等の属性情報を調べられるものとした場合、区分やその属性情報に変化が生じてなくても、世代を示すデータが蓄積される。従って、日付からでは、いつ更新されて情報の内容に変化があったかを知ることができず、情報の変化を調べようとした場合、情報の内容に変化が生じた日付を他の方法で知得するか、場当たり的にデータを見ていくしかない。ところが、上記第２〜５の発明では、内容の更新が生じた場合にのみ、新たな世代を示すデータが形成される（時間が経過しても変更が生じない限り後世代は生じず、世代を示すデータは蓄積されない）ので、変化の生じていない情報を延々と調べるという無駄は生じない。
【００１４】
【発明の実施の形態】
以下、図面に基づき本願発明の実施の形態について説明する。
図１乃至図１２へ、本願発明に係るシステムの一実施の形態を示す。
【００１５】
１．ハードウエア構成
この発明に係るシステムは、ＰＣ（パーソナル・コンピュータ）等のコンピュータと、土地データの管理プログラムの協働によって実現されるものである。コンピュータには、Ｗｉｎｄｏｗｓ（登録商標）やＵＮＩＸ（登録商標）に代表されるＯＳ（オペレーティング・システム）が導入されたものを用い、上記管理プログラムは、当該ＯＳ上にてその機能を奏する。
具体的には、コンピュータは、ＣＰＵなどの演算装置と、メモリやハードディスク等の記憶装置（内部記憶装置及び外部記憶装置）と、ディスプレイなどの表示装置と、キーボードやマウスに代表される入力装置とを備える。入力装置としては、上記以外に、タッチパネル又はタブレットなどを採用して実施することも可能である。
但し、各装置については、１台のコンピュータが備え或いは１台のコンピュータに付設されたものとしてもよいが、ＬＡＮ（ローカルエリア・ネットワーク）などのネットワークにて接続された複数のコンピュータによって実現されるものであっても実施可能である。
【００１６】
更に、本願発明に係るシステムは、ＡＳＰ（アプリケーション・サービス・プロバイダ）として、インターネットに代表される広域ネットワークに接続されたコンピュータにて構築され、利用者（ユーザー）によって、当該ネットワークに接続された他のコンピュータから利用されるものとしても実施可能である。
ここでは、１台のコンピュータにおいて、本願発明のシステムが構築されるものとして説明する。
【００１７】
２．ソフトウエア構成
以下、ソフトウエアを単にソフトと呼ぶ。
上記の管理プログラムは、ＣＡＤ（作図支援プログラム）と、ＤＢ（データベース）と、当該ＣＡＤとＤＢとを連携する制御プログラムとにて構成される。
ＣＡＤとＤＢの夫々については、既成のソフトを用いるものとして実施可能である。
【００１８】
３．システムの構成
図１（Ａ）に示す通り、本願発明に係る土地データの管理システムＳは、表示手段１と、入力手段２と、所有区分等の土地に関する図形情報を保持する第１記録手段３と、当該区分の所有者等の上記図形情報に関する属性情報を保持する第２記録手段４と、検索手段５と、更新手段６とを備える。
【００１９】
第１記録手段３は、図形データを上記の図形情報として保持すると共に、当該図形データ夫々を識別する図形識別子と、地図データを保持する。
地図データは、表示手段１により地図として表示装置で表示することが可能なデータである。図形データは、当該地図データが示す地域の所有区分等の各区分を示すものである。
図形データは、土地の区分を示すポリゴンデータ等のベクトルデータ（座標データ）であり、上記コンピュータにおいて、地図上の図形として表示手段１に表示することが可能なデータである。但し図形データは、ビットマップなどのラスタデータであっても実施可能である。
属性情報は、区分所有者や、区分の住所などを示す文字データ（文字以外の記号や数字を含む。）である。但し、画像や図形データなどの文字データ以外のデータも、属性情報とすることができる。
【００２０】
詳しくは、上記の第１記録手段３は、少なくとも区分の出没が伴う図形データの更新又は属性情報の更新にて１世代を確定するものとして、同世代の図形データと他の世代の図形データとを区別する世代識別子を、各図形データと対応させて保持する。
【００２１】
第２記録手段４は、図形情報記録部と、属性情報記録部と、履歴情報記録部と、世代記録部とを保持する。各記録部は、属性情報と、各種識別子との組み合わせを、保持するものである。ここでは、上記組み合わせの全てを配列して保持するものとし、このような組み合わせの配列をテーブルと呼ぶ（以下、この実施の形態において、図形情報記録部を図形情報テーブルＴ１と、属性情報記録部を属性情報テーブルＴ２と、履歴情報記録部を履歴情報テーブルＴ３と、世代情報記録部を世代テーブルＴ４と呼ぶ）。
【００２２】
更新手段６は、上記の更新毎に、履歴情報テーブルＴ２へ、当該更新事項の発生した世代と、当該事項が存続した最終世代の、夫々の世代識別子の組み合わせを履歴として蓄積すると共に、蓄積された履歴の夫々を識別する履歴識別子を、履歴情報テーブルＴ３へ記録する。
更に、更新手段６は、夫々更新によって生じた、図形識別子と、属性情報と、履歴識別子とを、組み合わせて属性情報テーブルＴ２へ記録する。
上記属性情報は、同じ組み合わせ中の図形識別子の図形情報に関するものであり、上記履歴識別子は、同じ組み合わせ中の図形識別子の図形情報の履歴又は同じ組み合わせ中の上記属性情報の履歴と対応するものである。
【００２３】
入力手段２から受け付けた世代識別子の指定により、表示手段１は、特定世代の図形データの夫々を表示する。当該表示中の図形情報の中から入力手段２より受け付けた特定の図形データの指定により、検索手段５は、履歴情報テーブルＴ３を参照して、先に指定された世代識別子が属する履歴全ての履歴識別子を特定する。更に、検索手段５は、属性情報テーブルＴ２を参照して、指定された図形データの図形識別子と、上記にて特定した各履歴識別子と合致する、組み合わせを特定する。表示手段１は、検索手段５が特定した組み合わせ中の属性情報即ち指定された図形データを、表示する。
【００２４】
上記管理プログラムが読み込まれたコンピュータにおいて、システムの各部は次のように実現されている。
表示手段１は、上記の表示装置及び演算装置と管理プログラムとにて実現される。入力手段２は、上記の入力装置と演算装置と管理プログラムとにて実現される。
第１記録手段３は、当該管理プログラムのＣＡＤと上記記憶装置とにて実現される。
第２記録手段４は、上記管理プログラムのＤＢと上記記憶装置とにて実現される。上記検索手段５は、上記管理プログラムの制御プログラムと、上記記憶装置と、演算装置とにて実現される。
更新手段６は、図形更新部と、テーブル更新部とにて構成される。この図形更新部は、管理プログラムのＣＡＤと上記記憶装置と演算装置と入力装置とにて実現され（ＣＡＤ部）、テーブル更新部は、管理プログラムのデータベースと上記記憶装置と演算装置と入力装置とにて実現される（ＤＢ部）。
【００２５】
４．システムの詳細
１）ＣＡＤ部（主として図形データに関する部分）
第１記録手段３は、同一世代の図形データを、他の世代の図形データと識別し、１つの世代を確定するデータ保持部を備える。このデータ保持部の夫々は、ＣＡＤにおいて一般的なレイヤを用い、世代レイヤ群として構成される。世代レイヤ群の夫々は、区分を示す図形データが配列されたものである。
図２に示す世代レイヤ群Ｒ１…ＲＮは、更新手段６による図形情報や属性情報の更新によって、新たに追加され、更新後の情報を保持する。即ち、各世代レイヤ群は、１つの世代、即ち図形データと属性情報の何れかについて、１つの更新の発生後次の更新の発生までを示している。従って、一つの世代レイヤ群は、当該１つの更新の発生後次の更新の発生まで有効な（該当する）各情報を束ねている。
第１記録手段３は、世代レイヤ群の夫々を識別するものとして、前述の世代識別子（Ｒｅｖ）を保持する。また、第１記録手段３は、図形情報の夫々を識別するため、前述の図形識別子を保持する。
第１記録手段３は、保持している世代レイヤ群の中から、特定の世代レイヤのみを表示手段に表示させることが可能な切り替え手段Ｑを有する。
【００２６】
以下、詳述する。
第１記録手段３は、図２に示す通り、各世代と対応する、上記の世代レイヤ群Ｒ１…ＲＮのほか、地図データＫを有する。地図データＫを基底として、地図データＫの上に、各世代レイヤ群Ｒ１…ＲＮが重ねて配置される。世代レイヤ群Ｒ１…ＲＮの夫々に、上記の世代識別子Ｒｅｖ１…ＲｅｖＮが関連付けられている。
各世代レイヤ群は、１枚又は複数のレイヤｒ…ｒの束である（ここでは、１枚のレイヤで構成される場合も含めてレイヤ群と呼ぶ）。個々のレイヤｒは、ＣＡＤにおいて利用される周知のレイヤ（表示層）と同義である。即ち、世代レイヤ群の夫々は、１つ又は複数のレイヤｒによって構成されている。図２に示すものでは、区分を示すポリゴンを保持するレイヤ、外郭線を示す線分を保持するレイヤなど、複数のレイヤｒ…ｒにて、１つの世代レイヤ群を構成している。
世代レイヤ群が、複数のレイヤから構成されている場合、レイヤの夫々に同一の世代識別子Ｒｅｖが関連付けられる。これにて、当該世代識別子の指定によって、１つの世代レイヤ群を構成する各レイヤｒ…ｒを呼び出すことができる（１つの世代レイヤ群を呼び出すことができる）。
上記の地図データＫは、地形などの画像データであり、ビットマップ等のラスタデータにて構成されている。但し、ベクトルデータにて構成されたものであっても実施可能である。また、地図データＫも複数のレイヤの束として形成することが可能である。ここでは、地図データＫは、単一のラスタデータである。
【００２７】
新たなレイヤ群は、既存の区分の分割による更新（新たな図形データの発生）や、区分所有者の名義変更など対応する区分の（図形データの）属性情報の更新によって、更新手段により、形成される。
図２において、レイヤ群ＲＴは、更新による新たなレイヤ群として追加されるためのレイヤ群であり、上記の更新された情報の入力作業中のレイヤ群である。更新作業が終了すれば、レイヤ群ＲｅｖＮとして登録される。
但し、登録された（世代識別子が付された）レイヤ群について、直接編集（更新）することを禁止しておく（参照のみ許可する）。確定した情報の改ざんや誤編集を防ぐためである。このため、更新に際しては、それまで最新であった世代レイヤ群ＲＮ−１の複製を作って（複写して）、当該複製を編集用のレイヤ群ＲＴとする。
上記の編集作業については、オペレータが行う。即ち、オペレータが、入力手段を通じ、図形更新部に指令することにより、上記編集を行う。
【００２８】
図２において、Ａ…Ｅは、上記にてレイヤ上に配列された区分を示し、各区分に付された（１）〜（２０）は、対応する区分（図形データ）の図形識別子を示している。この図形識別子自体は表示されない。宅地や農地などの区分の用途（用途目的）を属性情報とした場合、用途毎に異なる色を属性情報として、各区分を色分けして表示するものとすることができる。このような色分けについての情報もレイヤが保持する。
【００２９】
表示手段１の一部として、当該ＣＡＤは、上記の切り替え手段Ｑを有する。この切り替え手段Ｑは、制御プログラムによって実現された制御部Ｗの指令を受けて、地図データＫと、表示の指定をされた世代レイヤ群とのみを表示する。この切り替え手段Ｑは、市販されている既成のＣＡＤが有する周知のレイヤ切り替え表示機能にて実現することができる。
具体的には、切り替え手段Ｑの指定によって、表示する世代レイヤ群の図形データを図形データＫと共に表示し、他のレイヤ群を非表示とするのである。
【００３０】
２）ＤＢ部
第２記録手段は、図１（Ｂ）に示す通り、前述の、図形情報テーブルＴ１と、属性情報テーブルＴ２と、履歴情報テーブルＴ３と、世代テーブルＴ４とを備える。
図３に上記各テーブルが保持する内容を示す。
図３（Ａ）は図形情報テーブルＴ１の、図３（Ｂ）は属性情報テーブルＴ２の、図３（Ｃ）は履歴情報テーブルＴ３の、図３（Ｄ）は世代テーブルＴ４の、夫々の記録内容を示している。夫々、右欄が記録内容である。当該右欄の内容と対応する、本願の願書に添付した図面で引用する各識別子の番号を、左欄に示している。
属性情報テーブルは、図１（Ｂ）に示す通り、第１（ｔ１）から第Ｎ（ｔｎ）までの複数の属性登録テーブルにて構成される。属性情報テーブルＴ２を構成する属性登録テーブルｔ１…ｔｎの夫々は、区分所有者名や、区分の地番、用地目的などの、一つの区分に対応する複数種の属性に応じて用意される。但し、属性が１種の場合は、このような複数の属性登録テーブルにて属性情報テーブルＴ２を構成する必要はない。
【００３１】
３）各テーブルの構築（更新）とその流れ
以下、更新手段６による各テーブルの構築について、順に説明する。
図４は、全体処理のフローを示している。図５は、第２世代（最新の世代識別子をＲｅｖ２とする場合）での各テーブルに蓄積された内容の例を示し、図６は、第２世代以降の第Ｎ世代（最新の世代識別子をＲｅｖＮとする場合）での各テーブルに蓄積された内容の例を示している。ここで、属性情報テーブルＴ２に示す「赤」、「緑」等の属性１は用地目的（宅地、農地等）を示し、属性２は区分所有者名を示し、属性３は地番を示すものとする（属性情報は、これらに限定するものではなく、他の内容でもよく、これらに加えて更に他の属性を各図形データに関連付けるものとしてもよい。また、１つの図形データに対応する属性は、２つ以下でもよい）。また、各テーブルにおいて、図形識別子ＵＩＤは、括弧付きの数字で示されている。
【００３２】
図４へ示す通り、システムの始動のステップ１０後、システムは、表示手段１にて、初期画面１１（入力のインターフェイス）をオペレータへ提供し、オペレータによる入力手段２からの作業の指令（初期作業ステップｓ１）を受け付ける。オペレータは、当該初期画面１１にて、初期作業ステップｓ１として、次の作業を行う。
１）地区（地図）の選択といったプロジェクトの選択
２）上記１）にて選択したプロジェクトについてａ）履歴の追加を行うのかｂ）修正又は参照を行うのかの選択
３）上記２）にてａ）を選択した場合において、新世代の追加
４）上記３）の新世代（新世代）レイヤに対して、利用者（検索を行う者）が理解可能な日付等の説明事項の入力
上記のオペレータによる初期作業ステップｓ１の完了にて、当該ステップｓ１におけるオペレータの指令に従い、システムは、続くステップ２０〜３５の処理を行う。
以下、このステップ２０〜３５について、説明する。
初期作業ステップｓ１の完了後、システムＳは、初期作業の切替ステップ２０に移行する。初期作業の切替ステップ２０において、システムＳは、ステップｓ１におけるオペレータの、ａ）履歴追加を行うか、ｂ）修正又は参照を行うか、の選択に従って、ａ）、ｂ）何れかの処理への切替を行う。
尚、ここでいう修正とは、更新と異なり、世代が生じない、データ内容の修正をいう。即ち、この修正とは、現実に生じた区分の変遷やその属性の変遷に応じて行うものではなく、例えば、入力ミス等にて誤ったデータがある場合に、それを正しいものに訂正することをいう。この他、既にある属性情報の内容に対して、更に情報を追加する場合も、この修正に含まれる。
【００３３】
ステップｓ１でオペレータが上記ａ）の処理を選択した場合、システムＳは、ステップ２０にて、履歴の追加の処理モードへの切り替えを行う。当該切り替えにより、システムの処理は、順に、世代テーブルＴ４の更新ステップ３０、前処理ステップ３５へと移行する。ステップｓ１でオペレータが上記ｂ）を選択した場合、システムＳは、ステップ２０にて、修正又は参照の処理のモードへの切り替えを行い、受付ステップ３６へ移行する。
このように、上記初期作業のステップｓ１において、オペレータが指令した選択やデータ入力の作業を、ステップ２０〜３５の各ステップにおいて、システムＳが実行する。即ち、ステップ２０〜３５の各ステップは、システムＳにて自動的に処理され、これらのステップにオペレータは介入しない。
上記の前処理のステップ３５は、履歴情報テーブルＴ３の更新ステップ４０、図形情報テーブルＴ１の更新ステップ５０、属性情報テーブルＴ２の更新ステップ６０、ＣＡＤにおけるレイヤ群の追加ステップ７０にて構成される。
ステップ３０，４０〜６０の各ステップは、第２記憶手段４のデータベースにおける処理である。
【００３４】
図７（Ａ）は、上記前処理ステップ３５中の、ステップ４０のフローの詳細を示し、図７（Ｂ）はステップ４０における履歴情報テーブルＴ３の処理の例を示す。
上記ステップ４０において、図７（Ａ）に示す通り、他の更新事項の発生によっても、変更が生じなかった情報、即ち、継続している情報（以下継続データと呼ぶ。）の設定が行われる。例えば、このステップ４０において、過去の世代において発生した図形データについて、最新の世代においても存続している場合、このような図形データ（継続データ）の履歴に対応する開始世代の世代識別子ＨＩＳ＿Ｓと最新の終了世代の世代識別子ＨＩＳ＿Ｅの組み合わせを形成する。
具体的には、ステップ４０は、継続データの追加ステップ４１と、これに続く、最新情報の追加ステップ４２とにて構成される。このステップ４１では、初期入力ステップｓ１におけるオペレータからの指示を受けて、テーブル更新部が、履歴情報テーブルＴ３の最終世代の世代識別子ＨＩＳ＿Ｅについて、更新前の世代レイヤ群ＲＮ−１の履歴情報を、更新後の最新世代Ｎの継続データとして追加する。
例えば、図７（Ｂ）へ示す通り、更新にて最新の世代（Ｒｅｖ）を４（最終世代識別子ＨＩＳ＿Ｅが４）とする場合、それまで最新の世代（Ｒｅｖ）であった３を有する（最終世代識別子ＨＩＳ＿Ｅが３の）履歴識別子ＨＩＳ＿ＩＤ＝４，５，６の次に、履歴識別子ＨＩＳ＿ＩＤ＝７，８，９を追加する。そして、それまで最新世代（Ｒｅｖ）であった３を有する（最終世代識別子ＨＩＳ＿Ｅが３の）履歴識別子ＨＩＳ＿ＩＤの内容（履歴識別子ＨＩＳ＿ＩＤ＝４，５，６の、ＨＩＳ＿ＳとＨＩＳ＿Ｅの内容）を複製し、そのＨＩＳ＿Ｅに１を加えて、追加した履歴識別子ＨＩＳ＿ＩＤ＝７，８，９のＨＩＳ＿Ｅの内容とするのである（開始世代は変化しないので、ＨＩＳ＿Ｓの内容はそのまま複製した内容を、追加した履歴識別子ＨＩＳ＿ＩＤ＝７，８，９のＨＩＳ＿Ｓの内容とする）。
ステップ４２は、更新の準備のステップである。即ち、ステップ４２での処理について、最新の世代が発生するということは、何らかのデータの更新（最新情報）が生じるので、更新の準備、最新世代で発生したデータの履歴として、更に、上記に続く履歴識別子ＨＩＳ＿ＩＤ＝１０を履歴情報テーブルＴ３に追加し、ＨＩＳ＿Ｓ＝ＨＩＳ＿Ｅ＝４とする。尚、このステップ４２は、準備としてではなく、図形情報等の更新に際して、その直前に行うものとしても実施可能である。
【００３５】
図８を用いて、次に上記ステップ５０について説明する。このステップにおいて、継続データの設定で該当するＨＩＳ＿ＩＤを更新する。即ち、ここでは、ステップ４０で更新された履歴識別子ＨＩＳ＿ＩＤと対応する図形データについて、その図形識別子ＵＩＤに付されている履歴識別子ＨＩＳ＿ＩＤが更新される。図８の例では、更新前の左側の図形情報テーブルＴ１のＵＩＤ＝（１），（５），（７）に付されたＨＩＳ＿ＩＤの内容が、更新によって対応しなくなったので、図８の右側のテーブルＴ１に示すように、ＵＩＤ＝（１），（５），（７）に付されたＨＩＳ＿ＩＤの内容を対応するものとなるよう変更（更新）する。
【００３６】
ここで、新たな図形データが発生する場合の、各ステップでの（システムの）処理について説明する。
尚、上記において、前処理ステップ３５では、継続データの処理を中心として、便宜上、ステップ４０，ステップ５０、ステップ６０の順で説明したが、ステップ４０の処理より後に行うのであれば、ステップ５０とステップ６０とは何れが先に処理されるものであってもよい（システムは、ステップ４０の処理後、ステップ５０とステップ６０の何れの処理を先に行ってもよい）。
ここで、新たな図形情報が発生する場合の各ステップにおける処理を説明する。尚、ステップ３０に続く、前処理ステップ３５において、ステップ７０、ステップ４０、ステップ５０、ステップ６０の順で処理を行うものとして説明する。
【００３７】
上記の通り、更新の内容が図形情報の発生である場合、即ち、ＣＡＤ部における新たな図形データが生ずる場合、まず、ステップ３０において、新世代レイヤに対応する世代識別子Ｒｅｖを、利用者が理解可能な日付等の説明事項と関連づけて、世代テーブルＴ４へ追加する（オペレータがステップｓ１にて入力した当該説明事項をシステムＳが世代識別子Ｒｅｖと関連付ける）。そして、ステップ７０において、当該図形データを保持する新たな世代レイヤ群が前述の通り形成される。そして、ステップ４０（ステップ４２）における前記の処理が行われ、ステップ５０において、図９（Ａ）に示すように、図形情報テーブルＴ１に、ＣＡＤ部で新たな図形データに付された図形識別子ＵＩＤが追加される。即ち、図９（Ａ）において、左上に示す、更新前の図形情報テーブルＴ１の末尾のＵＩＤ＝（５）の次に、右上に示す、更新後の図形情報テーブルＴ１のように、新たなＵＩＤが追加される。また、このとき、ステップ６０において、図９（Ａ）の左下に示す、更新前の属性情報テーブルＴ２にも、新たなＵＩＤが追加され、右下に示す、更新後の属性情報テーブルＴ２のように、新ＵＩＤと、当該ＵＩＤに対応する属性（属性１）と、履歴識別子ＨＩＳ＿ＩＤの、組み合わせが形成される（図９において、当該新たな組み合わせの識別子（属性識別子）ＡＴＴ＿ＩＤは省略して描いてある）。
【００３８】
この実施の形態において、図形データの出没がない変更、例えば既存の図形データの変形では、ＵＩＤは追加されず、上記の処理は行われない。但し、このような場合も、ＵＩＤの追加を行い、これに伴う同様の処理を行うものとしてもよい。
図形データに変更がなく、その属性にのみ変更が生じた場合も、上記の図形データが発生した場合と同様の順番で処理がなされ、ステップ３０における世代識別子とその説明の追加、ステップ７０における新世代レイヤ群の形成、ステップ４０における履歴の追加が行われる。そして、図９（Ｂ）に示すように、左側の更新前の属性情報テーブルＴ２について、更新により、右側の属性情報テーブルＴ２のように、変更前の図形データのＵＩＤと重複して同じＵＩＤが追加され、新たな属性と、履歴識別子の組み合わせが形成される。
【００３９】
更新処理において、上記前処理ステップ３５の終了後、図４へ示す通り、システムＳは、受付ステップ３６へ移行する。この受付ステップ３６において、システムはメイン画面（図１３及び図１４）を自動的に表示し、オペレータの入力を待機する。このステップ３６において、システムは、オペレータによる本作業のステップｓ２を受け付ける。オペレータは、先ず、ステップｓ２において、ｃ）情報の設定、ｄ）検索、ｅ）終了の何れかの作業の選択を行う。ここで、ｃ）を選択することにより、オペレータは、このステップｓ２において、必要な、ＣＡＤ部における前述の図形データの作成・編集を行うことができる。また、ｄ）を選択することによって、オペレータは、ステップｓ２において、このシステムを利用して所望のデータ（属性情報）の検索を行うことができる。ｅ）を選択することによって、オペレータは、システムを終了することができる。
このように、システムが提供するメイン画面は、オペレータによる上記の３種（上記ｃ）〜ｅ））の作業を可能とする画面である。このメイン画面において、システムは、オペレータのステップｓ２における選択した作業を行うのに適した画面を提供する。例えば、オペレータが、ｃ）の作業を選択した場合、自動的に、最新の世代を表示するように、システムが表示処理するようにしておくのが好ましい。
ステップｓ２におけるオペレータの上記選択に従って、システムは、続く本作業の切替ステップ３７において、オペレータが行った上記選択・作業に対応する処理のステップ、即ち、検索ステップ８０、情報の設定ステップ９０又は終了ステップ１００の何れかへ移行する。
図４に示す通り、選択したｃ）情報の設定又はｄ）検索の処理を完了するために、ステップ８０又はステップ９０において、システムは、ｃ）又はｄ）に対応する処理を行うと共に、処理中オペレータからの指示を必要とする場面に達した際、オペレータからの指示を受け付けるために、システムが、ステップ３６へ戻って、オペレータによる作業の待機状態となるように設定しておく。
オペレータは、本システムを利用して、特定世代の区分についてその属性情報を検索する場合、上記のｄ）検索を選択し、表示手段の表示（メイン画面）を見て、入力手段より、更新する情報について、その図形データを指定する。システムは、この指定を受けて、ＵＩＤを取得する。そして、再び、ステップｓ２にて、オペレータは、各種編集作業を行う。
尚、新たな世代の発生を伴わない（世代レイヤが発生しない）前述の修正の場合や、データを参照（検索）する場合は、ステップ２０における選択にて、ステップ３６へ移行し、更に、上記オペレータの指令にて、このステップ８０へ移行する。
このｄ）検索の処理については、後述する、５）本システムの利用の形態（本システムを利用した検索）の項で詳細を説明する。
【００４０】
上述の通り、図形データの変遷を伴う更新では、ｃ）情報の設定の選択により、ステップｓ２において、オペレータは、編集作業、即ち、ＣＡＤ部における作図や、ＤＢ部における各種情報設定の作業を行う。
そして、ステップ９０において、システムに、当該設定に伴うデータの処理を実行させる。
【００４１】
このステップ９０は、図１１に示す通り、第１選択ステップ９１と、第２選択ステップ９５を有する。第１選択ステップ９１において、（新たな区分の発生等の）図形データの追加の有無を判定する。即ち、ステップｓ２において、オペレータの行った処理が、上記図形データの追加を生じるものであるか否かの判定を行う。
図１１に示す通り、上記第１選択ステップ９１にて、図形データの追加有りと、判定した場合、図形データの追加ステップ９２、図形情報テーブルへの情報追加ステップ９３、属性情報テーブルへの情報追加ステップ９４へ、順次移行する。第１選択ステップ９１にて、図形データの追加なしと判定した場合、システムは、直接第２選択ステップ９５へ移行する。
【００４２】
ここでは、新たな図形データが発生したものとするので、第１選択ステップ９１にて、システムは、図形データの追加有りと判定し、ステップ９２へ移行する。
上記ステップ９２において、システムは、上記のＵＩＤのカウントアップを行う。そして、当該ＵＩＤを追加された図形データに設定する。上記ステップ９２に続く、ステップ９３において、データ登録処理として、図形情報テーブルＴ１に、上記新たなＵＩＤ（図形識別子）とその履歴識別子ＨＩＳ＿ＩＤが追加される。
上記ステップ９３に続く、ステップ９４において、データ登録処理として、属性情報テーブルＴ２に、上記新たなＵＩＤとその属性と当該属性の履歴識別子ＨＩＳ＿ＩＤとの組み合わせが新たなＡＴＴ＿ＩＤを付して、追加される。
住所や氏名、用地目的といった属性については、ステップｓ２において、オペレータの入力により受け付けた内容が反映される。
【００４３】
ステップ４０での処理後、上記第２選択ステップ９５へ移行する。この第２選択ステップ９５では、ステップｓ２におけるオペレータの作業により、ステップ９２〜９４におけるような図形データの追加以外の変更が生じたか否かの判定をシステムが行う。図形データの追加以外の変更とは、具体的には、属性の変更のみの場合、及び、既存の図形データの変形（区分の変形）と属性の変更の双方があった場合を指す。
変更なしと指定した場合、このステップ９０における処理は終了する。
変更ありと指定した場合、属性情報テーブルへの情報追加ステップ９６へ移行し、そのような変更の処理をシステムが行う。
【００４４】
図４に示す通り、上記ステップ９０の処理後、ステップ３６に戻る。これにて、オペレータの選択により、終了処理のステップ１００へ移行することができる。
図１２へ示すように、このステップ１００は、終了選択ステップ１０１を有する。この終了選択ステップ１０１において、システムは、履歴の追加の有無の判定を行う。
履歴の追加なしと判定した場合、システムは、終了する。
履歴の追加ありと判定した場合、システムは、レイヤ登録ステップ１０２、次いで世代テーブルの更新ステップ１０３へ、移行する。
説明している例では、履歴の追加が生じているので、終了選択ステップ１０１において、システムは、履歴の追加ありと判定し、レイヤ登録ステップ１０２へ移行する。
このレイヤ登録ステップ１０２において、更新された情報の入力作業中のレイヤ群が登録され、Ｒｅｖが付される（即ち、前述（図２）のＣＡＤ部における、入力作業中のレイヤ群ＲＴをレイヤ群ＲｅｖＮとして登録する作業が行われる）。
ステップ１０２の処理後、世代テーブルＴ４の更新ステップ１０３にて、オペレータがステップｓ２にて入力した、新たに追加された世代識別子に対応する説明（コメント）が世代のコメントとして設定される。ステップ１０３終了後、全ての処理をシステムは終了する。
【００４５】
上記にて説明した区分の発生による編集と、名義変更等の属性の変更の何れの要求が生じた際も、ＣＡＤにおける世代レイヤ群の追加が行われる。そして、世代テーブルＴ４に、追加されたレイヤ群と対応する世代識別子Ｒｅｖ＿ＩＤが追加されるのである。上記のステップｓ２において、既述の通り、オペレータは、入力手段により、当該世代識別子に対し、その世代の内容をシステムの利用者にとって理解可能な、日付等の説明を、入力しておくのである。
【００４６】
５）本システムの利用の形態（本システムを利用した検索）
上記にて構築された本システムの具体的な検索処理について、表示装置の画面と共に説明する。
図１０は、図４に示す検索ステップ８０の詳細を示している。図１３は、表示装置が表示する画面の一例の略図を示し、そして、図１４は、実際の画面のイメージの一例を示している。図１３及び図１４に示す画面が、前述のステップ３６におけるメイン画面である。図１３及び図１４へ示すように、表示装置にて、表示される画面は、地図画面２００と、世代選択部３００と、属性表示部４００とを備える。地図画面２００は、地図データＫとその上に表示された特定の世代レイヤ群が保持する区分（図形データ）を表示する。世代選択部３００は、世代テーブルＴ４が有する説明事項の一覧を表示し、特定の世代の選択をガイドする。地図画面２００は、世代選択部３００で選択された世代の区分地図を表示するものである。属性表示部４００は、検索の目的とする（検索結果となる）、特定した区分の属性を、表示する部分である。
【００４７】
以下、図１０に示すフローを用いて説明する。
前述のステップｓ２において、先ず、利用者Ｙは、図１３及び図１４に示す世代選択部３００を見て、その説明事項の一覧から、所望の世代を選択する。この選択により、検索手段５は表示する世代を特定する（選択処理８１）。即ち、この選択によって、検索手段５は、世代テーブルＴ４の世代識別子Ｒｅｖを特定する。次に、検索手段５は、その制御部Ｗの制御により、切り換え手段Ｑにて、特定された世代識別子Ｒｅｖと対応する世代レイヤ群Ｒを選択して、（第１記録手段３の中から）その図形データを表示する（表示処理８２）。この表示は、選択された世代レイヤ群以外のレイヤ群を非表示とすることにより行う（非表示処理８３）。例えば、図２において、世代識別子Ｒｅｖ２が特定された場合、Ｒ２以外の世代レイヤ群は非表示にされる。このようにして、地図画面２００において、選択された世代の世代レイヤ群Ｒ２に保持された（配列された）図形データが、地図の上に表示される。
【００４８】
上記の処理に伴い、システムは、マッチング処理８４を行う。
このマッチング処理８４について説明する。上記の選択により、検索手段５は、世代の選択にて特定された世代識別子Ｒｅｖと同じかそれより小さいＨＩＳ＿Ｓと、当該世代識別子Ｒｅｖと同じかそれより大きいＨＩＳ＿Ｅとの組み合わせを、履歴情報テーブルＴ３にて調べる。そして、該当する組み合わせ全ての履歴識別子ＨＩＤ＿ＩＤを特定する。検索手段５は、特定された世代のレイヤ上の全ての図形データについて、夫々そのＵＩＤと、このＨＩＤ＿ＩＤの双方を満たす組み合わせ（属性識別子ＡＴＴ＿ＩＤ）を属性情報テーブルＴ２の中から探す。そして、検索手段５は、見つけた組み合わせ（属性識別子ＡＴＴ＿ＩＤ）中の属性を、属性表示部３００にて表示可能な状態とする（この時点で当該表示はしない）。
例えば、Ｒｅｖ＝４の世代において、図形データのＵＩＤ（７）についてみると、図６に示す属性情報テーブルＴ２から、組み合わせ（属性識別子）ＡＴＴ＿ＩＤ＝１９，２０が選択の候補とされる。他方、Ｒｅｖ＝４から、図６に示す履歴情報テーブルＴ３において、ＨＩＳ＿ＩＤ＝６，７が候補となる（ＨＩＳ＿ＳとＨＩＳ＿Ｅの世代識別子の組み合わせについて、それぞれ１≦（Ｒｅｖ＝）４≦４と、１≦（Ｒｅｖ＝）４≦５となり、条件を満たしている）。上記候補を満たすのは、ＡＴＴ＿ＩＤ＝２０であることを、検索手段５が、突き止め、その属性（属性１）である「赤」を属性表示部４００に表示可能な状態とする。
選択された世代の各区分を示す図形データの全てについて、上記のマッチング処理を行い、その属性を取得する。
次に利用者Ｙは、図１３及び図１４に示す画面において、マウス等の入力装置により、地図画面２００上により、属性を知りたい区分を選択する（ステップｓ２）。例えば、利用者Ｙが、図１３に示すように、Ｒｅｖ＝４の世代において、ＵＩＤ（７）の上記図形データ（区分）を選択すると、上記にて取得してある、その属性（属性１）の「赤」を属性表示部４００が表示する（属性表示処理８５）。
上記のシステムにおける処理を利用者Ｙ側から見ると、利用者Ｙの地図画面２００上の区分の選択する作業により、次の処理を実現していることになる。
即ち、上記選択（図１０において、利用者Ｙによる２回目の指示）により、検索手段５は、先の世代の選択にて特定された世代識別子Ｒｅｖと同じかそれより小さいＨＩＳ＿Ｓと、当該世代識別子Ｒｅｖと同じかそれより大きいＨＩＳ＿Ｅとの組み合わせを、履歴情報テーブルＴ３にて調べ、該当する組み合わせ全ての履歴識別子ＨＩＤ＿ＩＤを特定する。検索手段５は、今回の選択で特定したＵＩＤと、このＨＩＤ＿ＩＤの双方を満たす組み合わせ（属性識別子ＡＴＴ＿ＩＤ）を属性情報テーブルＴ２の中から探す。そして、検索手段５は、見つけた組み合わせ（属性識別子ＡＴＴ＿ＩＤ）中の属性を、属性表示部３００に、表示させる。図１３に示すように、Ｒｅｖ＝４の世代において、選択された図形データのＵＩＤが（７）の場合、図６に示す属性情報テーブルＴ２から、組み合わせ（属性識別子）ＡＴＴ＿ＩＤ＝１９，２０が選択の候補とされる。他方、Ｒｅｖ＝４から、図６に示す履歴情報テーブルＴ３において、ＨＩＳ＿ＩＤ＝６，７が候補となる（ＨＩＳ＿ＳとＨＩＳ＿Ｅの世代識別子の組み合わせについて、それぞれ１≦（Ｒｅｖ＝）４≦４と、１≦（Ｒｅｖ＝）４≦５となり、条件を満たしている）。上記候補を満たすのは、ＡＴＴ＿ＩＤ＝２０であることを、検索手段５が、突き止め、その属性（属性１）である「赤」を属性表示部４００に表示させる。この実施の形態において、実際には、上記の通り、マッチング処理にて、世代の選択（利用者Ｙによる世代の指定）で、当該世代の各区分全てについて属性情報をシステムが取得することになるのであるが、利用者側から見れば、区分を指定するまで、属性は表示されていない（但し、利用者にとってのみならず、システム上も、このように特定の図形が利用者にて指定されるまで、属性が決定されないものとしても実施することが可能である。）。
【００４９】
以上のようにして、選択した世代の地図上から選んだ区分の属性情報を見ることができる。
上記において、説明を簡便にするため、他の属性（属性２，３）については言及しなかったが、他の属性２，３がある場合、上記の２つの候補だけでは唯一の組み合わせ（属性識別子ＡＴＴ＿ＩＤ）が得られない（絞り込めない）ので、属性情報テーブルＴ２から、属性１，２，３のすべての項目について、候補とした履歴識別子と合致するものを調べ、これらとＵＩＤとを満たす唯一の組み合わせ（属性識別子ＡＴＴ＿ＩＤ）を検出する。この実施の形態では、図形情報と属性情報とを、更には、属性情報が複数ある場合それぞれの属性情報同士を、区別することなく、その発生や他のデータの更新による継続によって、その履歴を履歴情報テーブルＴ３に追加して行く。即ち、この履歴情報テーブルＴ３において、履歴は、パターンとして履歴情報テーブルに蓄積され、その識別子（履歴識別子）を特定しただけでは、何れの図形データ或いは属性の更新によるものかは特定できない。しかし、上記にて構築された属性情報テーブルにおいて、候補として上がった複数の履歴識別子のすべての中から、ＵＩＤとすべての属性（属性１，２，３）に付された履歴識別子とが合致する、属性情報テーブルＴ２中の組み合わせは、ただ１つである。従って、属性が複数あっても、その全ての履歴識別子と合致するものを候補として上げれば、ＵＩＤの決定にて、唯一のものが検索できるのである。
【００５０】
上記において、検索におけるシステムの利用者Ｙと、データを構築するオペレータとを区別して記載したが、上記の検索を行う利用者Ｙと更新等の作業を行うオペレータを区別する必要はなく、本システムにおいて、利用者Ｙはデータの構築を行うことが可能である。
但し、検索においてはデータの参照のみを可能とし、上記データの更新においては編集中の（登録前の）レイヤ群とＤＢのみ編集可能とする。上記データの修正においては登録済各レイヤ群を含めて全てのデータの編集を可能とする。
これらの参照、更新、修正は、ステップ２０の選択及びステップ８０の画面の切り替えにおいて、夫々別途の入力支援用の画面を提供することによって行う。図示はしないが、図１３及び図１４に示す画面は、検索（参照）専用の画面であり、更新・修正については、別途の画面を用意しておく。作業に応じた画面の選択を行えばよいのである。
【００５１】
上記において、ＣＡＤと記憶装置とにて、第１記録手段を構成するものとしたが、この他、ＣＡＤ以外のレイヤを制御できるドロー系の描画支援ソフトや、或いは同じくレイヤを制御できるペイント系の描画支援ソフトを採用することが可能である。即ち、図形情報は、ベクトルデータに限定するものではなく、ラスタデータであってもよい。また、一般にＧＩＳと呼ばれる地理情報システム（Ｇｅｏｇｒａｐｈｉｃ  Ｉｎｆｏｒｍａｔｉｏｎ  Ｓｙｓｔｅｍ  ）を利用して、第１記録手段を構成して実施することも可能である。
上記の実施の形態において、履歴情報テーブルは、単一のテーブルであり、図形情報の更新履歴と属性情報の更新履歴の双方を蓄積し、保持するものとした。この他、履歴情報テーブルは、複数のテーブルからなり、図形情報の更新履歴と、属性情報の更新履歴とは、別々のテーブルに蓄積され保持されるものとしても実施可能である。この場合、履歴情報テーブルは、少なくとも、図形情報用履歴テーブルと、属性情報用履歴テーブルとを備え、当該図形情報用履歴テーブルと属性情報用履歴テーブルのいずれかが図形情報の更新履歴と属性情報の更新履歴とを一元に管理する履歴情報識別子を保持するものとする。また、この場合、履歴情報テーブルは、更に図形情報用履歴テーブルと属性情報用履歴テーブル以外に、別途のテーブルを有するものとし、当該別途のテーブルにて、図形情報の更新履歴と属性情報の更新履歴とを一元に管理する履歴情報識別子を保持するものとして実施することができる。
【００５２】
この実施の形態において、属性情報は、属性テーブルが保持するものとした。この属性テーブルには、属性の識別子のみを記録するものとし、第２記録手段３において、属性情報は、上記の属性テーブル以外の場所に、当該識別子から呼び出し可能に記録されたものとしても実施可能である。
【００５３】
最後にこの実施の形態の土地データの管理システムについて、総括する。上述してきた通り、このシステムは、表示手段と、入力手段と、所有区分等の土地に関する図形情報を保持する第１記録手段と、当該区分の所有者等の上記図形情報に関する属性情報を保持する第２記録手段と、更新手段と、検索手段とを備える。第１記録手段は、複数の世代の図形情報を保持するものであり、第２記録手段は、複数の世代の属性情報を保持するものである。更新手段は、少なくとも図形情報の更新毎に、上記各図形情報と当該図形情報に関する属性情報とを関連付けて、当該関連付けを上記属性情報と共に第２記録手段に記録するものである。入力手段から受け付けた指示により、検索手段は、第２記録手段を参照し、特定世代の特定の図形情報と、当該図形情報に関する属性情報とを関連付けた状態で、表示手段にて表示することが可能である。
特に、上記第１記録手段３は、少なくとも区分の出没が伴う図形情報の更新又は属性情報の更新にて１世代を確定するものとして、同世代の図形情報と他の世代の図形情報とを区別する世代識別子を、各図形情報と対応させて保持すると共に、図形情報の夫々を識別する図形識別子を保持する。第２記録手段４は、属性情報記録部と、履歴情報記録部とを保持する。更新手段６は、上記の更新毎に、履歴情報記録部へ、当該更新事項の発生した世代と、当該事項が存続した最終世代の、夫々の世代識別子の組み合わせを履歴として蓄積すると共に、蓄積された履歴の夫々を識別する履歴識別子を、履歴情報記録部へ記録する。更に、更新手段６は、夫々更新によって生じた、図形識別子と、属性情報と、履歴識別子とを、組み合わせて属性情報記録部へ記録する。上記属性情報は、同じ組み合わせ中の図形識別子の図形情報に関するものであり、上記履歴識別子は、同じ組み合わせ中の図形識別子の図形情報の履歴又は同じ組み合わせ中の上記属性情報の履歴と対応するものである。入力手段２から受け付けた世代識別子の指定により、表示手段１は、特定世代の図形情報の夫々を表示する。検索手段５は、当該表示された図形情報の夫々について、履歴情報記録部を参照して、先に指定された世代識別子が属する履歴の各履歴識別子を特定し、更に、検索手段５は、属性情報記録部を参照して、図形情報の図形識別子と、上記にて特定した各履歴識別子と合致する、組み合わせを特定する。そして、当該表示中の図形情報の中から入力手段２より更に受け付けた特定の図形情報の指定により、表示手段１は、当該指定された図形情報について、上記にて特定した組み合わせ中の属性情報を、表示するものである。
【００５４】
【発明の効果】
本願の上記第１〜７の発明の実施によって、土地管理において、現在及び過去の、区分とその所有者等の情報とを簡便且つ迅速に、検索することが可能な手段を提供し得た。
【図面の簡単な説明】
【図１】（Ａ）は本願発明に係るシステムの全体を示す説明図である。（Ｂ）はその第２記録手段４の説明図である。
【図２】上記システムのＣＡＤ部の説明図である。
【図３】上記システムの第２記録手段４の各テーブルのパターンの説明図である。
【図４】上記システムの全体のフロー（流れを示す）説明図である。
【図５】上記第２記録手段４に構築された各テーブルの一例の説明図である。
【図６】上記第２記録手段４に構築された各テーブルの一例の説明図である。
【図７】（Ａ）は図４に示すステップ４０の詳細を示す説明図であり、（Ｂ）はステップ４０における履歴情報テーブル更新の一例を示す説明図である。
【図８】図４に示すステップ５０における図形情報テーブル更新の一例を示す説明図である。
【図９】（Ａ）は図形データが発生した場合の各テーブル更新の一例を示す説明図であり、（Ｂ）は属性情報のみが変更された場合の各テーブルの更新の一例を示す説明図である。
【図１０】図４のステップ８０の、詳細を示す説明図である。
【図１１】図４のステップ９０の、詳細を示す説明図である。
【図１２】図４のステップ１００の、詳細を示す説明図である。
【図１３】表示装置に表示される画面の一例の概要を示す説明図である。
【図１４】表示装置に表示される画面の一例を示す説明図である。
【符号の説明】
１    表示手段
２    入力手段
３    第１記録手段
４    第２記録手段
５    検索手段
６    更新手段
【図１】
2004302513.tif 000003
【図２】
2004302513.tif 000004
【図３】
2004302513.tif 000005
【図４】
2004302513.tif 000006
【図５】
2004302513.tif 000007
【図６】
2004302513.tif 000008
【図７】
2004302513.tif 000009
【図８】
2004302513.tif 000010
【図９】
2004302513.tif 000011
【図１０】
2004302513.tif 000012
【図１１】
2004302513.tif 000013
【図１２】
2004302513.tif 000014
【図１３】
2004302513.tif 000015
【図１４】
2004302513.tif 000016